(57)【要約】 【課題】操作の際にタッチパネルへ視線を移さなくともタッチパネルへの誤タッチを防止することが可能な操作支援パネルを提供する。【解決手段】操作支援パネルは、フレーム部、固定部及びボタン部を具備する。フレーム部は、仮想キーを表示する表示部と前記表示部上に積層された感圧部とを備える感圧式のタッチパネルに対して対向配置され、前記仮想キーの表示位置と対向する部位に穴部が形成される。固定部は、前記フレーム部と前記感圧部との間に空間を形成するように前記フレーム部を前記タッチパネルの外枠に固定する。ボタン部は、透明な素材から成り、前記表示部に表示される仮想キーとの間に空間を形成するように前記穴部に嵌め込まれ、定常位置で維持されるように前記フレーム部により支持され、上方からの押圧により、前記感圧部と接触する。【選択図】図１
2013073376.tif 000002
【特許請求の範囲】
【請求項１】
仮想キーを表示する表示部と前記表示部上に積層された感圧部とを備える感圧式のタッチパネルに対して対向配置され、前記仮想キーの表示位置と対向する部位に穴部が形成されるフレーム部と、
前記フレーム部と前記感圧部との間に空間を形成するように前記フレーム部を前記タッチパネルの外枠に固定する固定部と、
透明な素材から成り、前記表示部に表示される仮想キーとの間に空間を形成するように前記穴部に嵌め込まれ、定常位置で維持されるように前記フレーム部により支持され、上方からの押圧により、前記感圧部と接触するボタン部と
を具備することを特徴とする操作支援パネル。
【請求項２】
高さ方向に弾性力を有し、前記定常位置で維持されるように前記ボタン部を支える弾性体をさらに具備することを特徴とする請求項１記載の操作支援パネル。
【請求項３】
前記ボタン部は、前記仮想キーを識別可能な形状を有することを特徴とする請求項１記載の操作支援パネル。
【請求項４】
仮想キーを表示する表示部と前記表示部上に積層された感圧部とを備える感圧式のタッチパネルに対して対向配置され、前記仮想キーの表示位置と対向する部位に穴部が形成されるフレーム部と、
前記フレーム部と前記感圧部との間に空間を形成するように前記フレーム部を前記タッチパネルの外枠に固定する固定部と
を具備することを特徴とする操作支援パネル。
【請求項５】
前記フレーム部の穴部の端部は面取りされており、
前記穴部の手前側の端部は、前記穴部の奥側の端部よりも広い範囲で面取りされることを特徴とする請求項４記載の操作支援パネル。
【請求項６】
前記穴部の形状は、前記仮想キーを識別可能な形状を有することを特徴とする請求項４記載の操作支援パネル。
【発明の詳細な説明】
【技術分野】
【０００１】
本発明の実施形態は、感圧式のタッチパネルに取り付けられる操作支援パネルに関する。
【背景技術】
【０００２】
航空管制で使用されるコンソールのうち、タワーコンソールと呼ばれるコンソールは、管制塔と呼ばれる塔の最上階に設置される。管制官は、窓外の航空機、車両及び気象状態等の状況を確認しながら、通信対象となる航空機を選定し、コンソールで無線機の周波数等を切り替えて選定した航空機との交信を行う。
【０００３】
窓外を確認するという業務の特性上、管制官はコンソール上の所定のボタンに常に指を置き、視線をコンソールに移さずともコンソールを操作可能なようにしていた。
【０００４】
ところで、近年、タッチパネルを使用したコンソールが提案されている。この種のコンソールでは、タッチパネル上に仮想キーが表示され、管制官は表示された仮想キーに触れることで管制業務を行う。しかしながら、従来のようにコンソールの操作面に指を置くと、タッチパネルに表示された仮想キーに触れることとなり、触れた仮想キーに応じた処理が意図せずに実行されてしまう。また、タッチパネルに対する誤タッチを防止するために、仮想キーに触れる際には、常に操作内容を確認する必要があるが、この間、窓外の確認行為が疎かになってしまうという問題がある。
【先行技術文献】
【特許文献】
【０００５】
【特許文献１】特開２０１１−８３９２号公報
【発明の概要】
【発明が解決しようとする課題】
【０００６】
以上のように、コンソールの操作者である管制官は、窓外を確認しながらでも無線機の周波数等の正確な切り替え操作を求めているが、タッチパネルを有するコンソールにおいては、操作の入力の際に、誤タッチを防ぐため、タッチパネルへ視線を移さなくてはならないという問題があった。
【０００７】
そこで、目的は、操作の際にタッチパネルへ視線を移さなくともタッチパネルへの誤タッチを防止することが可能な操作支援パネルを提供することにある。
【課題を解決するための手段】
【０００８】
実施形態によれば、操作支援パネルは、フレーム部、固定部及びボタン部を具備する。フレーム部は、仮想キーを表示する表示部と前記表示部上に積層された感圧部とを備える感圧式のタッチパネルに対して対向配置され、前記仮想キーの表示位置と対向する部位に穴部が形成される。固定部は、前記フレーム部と前記感圧部との間に空間を形成するように前記フレーム部を前記タッチパネルの外枠に固定する。ボタン部は、透明な素材から成り、前記表示部に表示される仮想キーとの間に空間を形成するように前記穴部に嵌め込まれ、定常位置で維持されるように前記フレーム部により支持され、上方からの押圧により、前記感圧部と接触する。
【図面の簡単な説明】
【０００９】
【図１】第１の実施形態に係る操作支援パネルをコンソールへ設置した際の構造を示す図である。
【図２】図１に示すＡ−Ａ’での操作支援パネル及びタッチパネルの断面図を示す図である。
【図３】図１に示すＢ−Ｂ’での操作支援パネル及びタッチパネルの断面図を示す図である。
【図４】図１に示すボタン部のその他の形状を示す図である。
【図５】第２の実施形態に係る操作支援パネルをコンソールへ設置した際の構造を示す図である。
【図６】図５に示すＡ−Ａ’での操作支援パネル及びタッチパネルの断面図を示す図である。
【図７】図５に示す穴部のその他の形状を示す図である。
【発明を実施するための形態】
【００１０】
以下、実施の形態について、図面を参照して説明する。
【００１１】
（第１の実施形態）  
図１は、第１の実施形態に係る操作支援パネル１０を、コンソール２０へ設置した際の構造を示す模式図である。なお、図１に示すように、ｘ軸方向、ｙ軸方向及びｚ軸方向を定義する。図２は、図１に示すＡ−Ａ’断面での操作支援パネル１０及びコンソール２０のタッチパネル２２の断面図を示す。図３は、図１に示すＢ−Ｂ’断面での操作支援パネル１０及びタッチパネル２２の断面図を示す。
【００１２】
図１に示すコンソール２０は、管制塔と呼ばれる塔の最上階に設置され、操作者である管制官は、窓外の航空機、車両及び気象状態等の状況を確認しながら、通信対象となる航空機を選定し、コンソール２０で無線機の周波数等を切り替えて選定した航空機との交信を行う。コンソール２０は、操作者の入力インタフェースとなるタッチパネル２２を備える。外枠部２１は、タッチパネル２２の外側を囲むもので、タッチパネル２２に対して所定の高さを有する。操作支援パネル１０は、タッチパネル２２の上方に位置するように、外枠部２１に固定される。操作支援パネル１０と、タッチパネル２２との間には図２で示すように空間が形成される。
【００１３】
タッチパネル２２は、感圧式のもので、表示部２２１及び感圧部２２２を備える。図２に示すように、タッチパネル２２は、感圧部２２２が表示部２２１の上に積層するように配置される。
【００１４】
表示部２２１は、液晶ディスプレイ等の平面ディスプレイであり、図形や文字など、操作を行うための仮想キーを表示する。
【００１５】
感圧部２２２は、２つの透明電極が鉛直方向に空隙をあけて上下に対向して配置されたものである。上方の透明電極が押圧されることで２つの電極が接触して通電し、押圧位置が検出される。表示部２２１に表示される画面は、透明な感圧部２２２を通して外部から認識可能である。
【００１６】
操作支援パネル１０は、フレーム部１１、ボタン部１２、固定部１３及び弾性体１４を具備する。
【００１７】
フレーム部１１は、タッチパネル２２の上方に一定の距離を隔てて対向配置される。フレーム部１１のうち、仮想キーの表示位置と対向する部位には穴部が形成される。穴部は、フレーム部１１において縦方向及び横方向に間隔を空けて形成される。穴部の形状は、図１乃至図３では、略正方形形状を有しているが、ボタン部１２の形状に応じて任意の形状をとるようにしても構わない。
【００１８】
フレーム部１１には、穴部におけるｙ軸の奥側の端部に、ボタン部１２を支持する支持部１１１が図３に示すように形成される。支持部１１１は、ボタン部１２に形成される被支持部１２１を、ｚ軸方向に回動可能なように支持する形状をとる。例えば、支持部１１１は、フック状に形成された被支持部１２１を引っ掛けることが可能な形状をしており、被支持部１２１を掛け止める。
【００１９】
また、フレーム部１１は、タッチパネル２２の表示部２２１に表示される仮想キーが視認可能な透明性と、操作者が指を置く際にその押圧に耐えられるだけの硬度を有する。フレーム部１１は、例えば、アクリル樹脂により作成される。
【００２０】
固定部１３は、フレーム部１１とタッチパネル２２との間に空間が形成されるように、フレーム部１１を外枠部２１に固定する。固定部１３は、例えば、嵌合突起であり、外枠部２１に形成される嵌合穴部と接続することでフレーム部１１を外枠部２１に固定する。なお、固定部１３は、フレーム部１１の下面に塗付される取外し可能な接着素材であっても構わない。
【００２１】
ボタン部１２は、上部にｘ軸方向に突出した突出部１２２を備える。ボタン部１２は、下部にｙ軸の奥側方向に形成される被支持部１２１を備える。ボタン部１２は、上面に突起部１２３を備える。ボタン部１２のｘ−ｙ平面での断面形状は、図１乃至図３では略正方形形状であるが、図４に示すように、任意の形状であっても構わない。
【００２２】
ボタン部１２は、表示部２２１に表示される仮想キーの上方に一定の距離を隔てて対向配置するように、フレーム部１１に形成される穴部に嵌め込まれる。また、ボタン部１２は、被支持部１２１がフレーム部１１の支持部１１１により回動可能なように支持される。突出部１２２におけるｙ軸の手前側の部分と、フレーム部１１との間には、弾性体１４がｚ軸方向に弾性力を有した状態で配置される。なお、弾性体１４は、ｚ軸方向に弾性力を有するものであれば良く、例えば、ばね及びゴム等が該当する。弾性力の強さは、ボタン部１２をｚ軸の下方向に押下した際に、適度な抵抗感がある程度が望ましい。
【００２３】
ボタン部１２は、ｚ軸の上方から押圧を受けると、支持部１１１と被支持部１２１とが接触する部分を軸として、ｚ軸の下方向へ移動する。ボタン部１２は、ｚ軸の下方向へ移動することで、感圧部２２２と接触し、表示部２２１に表示される仮想キーを押す。ボタン部１２は、ｚ軸の上方からの押圧がなくなると、弾性体１４に蓄積された弾性力によりｚ軸の上方に押し上げられ、押圧を受ける前の定常状態に戻る。
【００２４】
以上のように、上記第１の実施形態では、透明な操作支援パネル１０を外枠部２１に取り付け、タッチパネル２２と操作支援パネル１０との間に空間が形成されるようにする。また、フレーム部１１は操作者が指を置いた場合であっても、歪んで感圧部２２２に接触することがない程度に硬い。さらに、ボタン部１２はフレーム部１１に弾性体１４を介して支持され、操作者の押圧によりｚ軸の下方へ移動し、感圧部２２２に接触する。これにより、操作者は、ボタン部１２を押し込まなければ、フレーム部１１に指を常に置くことが可能となる。また、操作者は、コンソール２０のタッチパネル２２を直接見ずともタッチパネル２２を操作することが可能となる。
【００２５】
また、上記第１の実施形態では、ボタン部１２の上面に突起部１２３が形成されるようにしている。これにより、操作者は、ボタン部１２を触れているか否かを判断し易くなる。
【００２６】
したがって、第１の実施形態に係る操作支援パネル１０によれば、操作する際に、コンソール２０のタッチパネル２２へ視線を移して操作内容を確認しなくても、タッチパネル２２への誤タッチを防ぐことができる。
【００２７】
なお、上記第１の実施形態では、ボタン部１２のｘ−ｙ平面での形状を、仮想キーに割り当てられた機能に特有の形状にしても構わない。これにより、表示部２２１に表示される仮想キーを見ずとも、ボタン部１２の形状を操作者の指で確認するのみで仮想キーの機能を判別することが可能となる。すなわち、表示する仮想キーの形状及びデザインを任意に変更できるというタッチパネル２２の利点を生かしながら、タッチパネル２２に視線を移さなくても手探りで操作位置を特定することができる。
【００２８】
また、第１の実施形態では、ボタン部１２が、支持部１１１及び弾性体１４によりフレーム部１１に支持される構造を例に説明したが、これに限定される訳ではない。
【００２９】
（第２の実施形態）  
図５は、第２の実施形態に係る操作支援パネル３０を、コンソール２０へ設置した際の構造を示す模式図である。なお、図５に示すように、ｘ軸方向、ｙ軸方向及びｚ軸方向を定義する。図６は、図５に示すＡ−Ａ’断面での操作支援パネル３０及びコンソール２０のタッチパネル２２の断面図を示す。なお、コンソール２０は、図１に示すコンソール２０と同様のものである。
【００３０】
操作支援パネル３０は、フレーム部３１及び固定部３２を具備する。
【００３１】
フレーム部３１は、タッチパネル２２の上方に一定の距離を隔てて対向配置される。フレーム部３１のうち、仮想キーの表示位置と対向する部位には穴部が形成される。穴部は、フレーム部３１において縦方向及び横方向に間隔を空けて形成される。穴部は、図５及び図６で示すように、ｙ軸の手前側及び奥側の端部が面取りされている。面取りの範囲は、手前側の端部の方が奥側の端部よりも広い。手前の面取り部の範囲は、操作者が指を置いた場合に、穴部から仮想キーに触れてしまわない程度の範囲である。穴部の形状は、図５では、略正方形形状を有しているが、図７で示すように、任意の形状とすることが可能である。
【００３２】
また、フレーム部３１は、タッチパネル２２の表示部２２１に表示される仮想キーが視認可能な透明性と、操作者が指を置く際にその押圧に耐えられるだけの硬度を有する。フレーム部３１は、例えば、アクリル樹脂により作成される。
【００３３】
固定部３２は、フレーム部３１とタッチパネル２２との間に空間が形成されるように、フレーム部３１を外枠部２１に固定する。固定部３２は、例えば、嵌合突起であり、外枠部２１に形成される嵌合穴部と接続することでフレーム部３１を外枠部２１に固定する。なお、固定部３２は、フレーム部３１の下面に塗付される取外し可能な接着素材であっても構わない。
【００３４】
以上のように、上記第２の実施形態では、透明な操作支援パネル３０を外枠部２１に取り付け、タッチパネル２２と操作支援パネル３０との間に空間が形成されるようにする。また、フレーム部３１には、仮想キーが表示される位置に穴部が形成され、穴部の手前側の端部は操作者が指をおける程度の範囲で面取りされている。また、フレーム部３１は、操作者が手前の面取り部に指を置いた場合であっても、歪んで感圧部２２２に接触することがない程度に硬い。これにより、操作者は、仮想キーに触れずに、手前の面取り部に指を常に置くことが可能となる。また、操作者は、コンソール２０のタッチパネル２２を直接見ずともタッチパネル２２を操作することが可能となる。
【００３５】
したがって、第２の実施形態に係る操作支援パネル３０によれば、操作する際に、コンソール２０のタッチパネル２２へ視線を移して操作内容を確認しなくても、タッチパネル２２への誤タッチを防ぐことができる。
【００３６】
なお、上記第２の実施形態では、穴部の形状を、仮想キーに割り当てられた機能に特有の形状にしても構わない。これにより、表示部２２１に表示される仮想キーを見ずとも、フレーム部３１の穴部の形状を操作者の指で確認するのみで仮想キーの機能を判別することが可能となる。すなわち、表示する仮想キーの形状及びデザインを任意に変更できるというタッチパネル２２の利点を生かしながら、タッチパネル２２に視線を移さなくても手探りで操作位置を特定することができる。
【００３７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３８】
１０…操作支援パネル、１１…フレーム部、１１１…支持部、１２…ボタン部、１２１…被支持部、１２２…突出部、１２３…突起部、１３…固定部、１４…弾性体、２０…コンソール、２１…外枠部、２２…タッチパネル、２２１…表示部、２２２…感圧部、３０…操作支援パネル、３１…フレーム部、３２…固定部
【図１】
2013073376.tif 000003
【図２】
2013073376.tif 000004
【図３】
2013073376.tif 000005
【図４】
2013073376.tif 000006
【図５】
2013073376.tif 000007
【図６】
2013073376.tif 000008
【図７】
2013073376.tif 000009